(57)【要約】      （修正有）【課題】布団を完全に包むことによって、雨水、埃、から守ることができ、安心、して外出ができ安心して、布団が夕立の心配もなく干すことができる物を提供する。【解決手段】材質は軽量で、布団に上から全面に透明なビニールシートで覆い、布団の頂点である、二つおりをした、折り返しの点、真上に、屋根型のパイプの棒状の棒を寝かしてシートの、裏面の底辺の部分に穴で固定された、パイプを布団の面に当たるようにして、そこに布団とシートの間に隙間を作り、風通しを良くし、シートと、布団がむせるのを防ぎ、かつ布団をある程度押さえるので、すべりを防ぐし、シートのすべりも防げる。【選択図】図１
2006314732.tif 000002
【特許請求の範囲】
【請求項１】
透明なビニール製のシートがバルコニーの手摺を挟んで、干した布団に上から全体を覆って、夕立や、埃と、、強風から守る器具である。シートを二つに折りにした、その裏側の面の底辺が、蒲団の、表面の頂点と接触しないように、屋根型のパイプ棒を寝かすことによって、屋根型の形状の突起が、蒲団とシートの間に隙間をつくり風通しが良くなり、又、これがある程度蒲団を押し当てているので、すべるのを防ぐことができる。シートの裏面にはビニール製のパイプ棒の先端棒が固定されるように、その大きさ、太さ、長さに合った穴を設けて、その穴は任意に必要な位置であって、その中に塩ビで出来た、一連に四つの独立した、屋根型の四つの突起部分を有するパイプ棒でその伸びた、平行の足がシートに作った穴に挿入することによって、パイプ棒はシートとに固定され、、パイプの突起部分はシートが布団を覆っている内側に横になっており、それが、布団の表面をある程度押し、布団とシートの間に隙間を作り、風通しを良くし、、布団のすべりを防ぐ役目もする。シートの淵の中央部分に大きく前へ出ている耳はバルコニーにかかった布団に挟まれている手摺をカバーし、又、シート自体の重みで落下を防ぐものでシート直から作られ、必要な長さの帯になっていて、テープのオンが全面に施されていて、対の、メンの付いた、耳の端と合着して手摺を巻き固定する。これにより布団が雨水に濡れなくてすむ。
【発明の詳細な説明】
【技術分野】
【０００１】  透明なビニール製のシートの中央部分に突起した、耳がありそこに全面にマジックのオン、の帯が付き、対の側の端にもメンが部分的に付けられ、これによってバルコニーの手摺を挟んで、シートと布団を固定し雨水濡れを防ぐシートの淵の必要な箇所に全面にマジックテープのオン、の帯が、対の端にはメン、のテープが付いていて，オン、メン、を合着させる事によって、シートを閉じ雨水、埃を防ぐ、シートの内面には必要な処に屋根型のような形をし、四の突起状の屋根型を寝かした形の塩ビで出来た、パイプ棒を受け入れる、シートにも六ヶ所、穴を設けている、その穴に屋根型の棒状の先端を受け入れる事によって、シートと、屋根型状のパイプ棒とが結ばれて固定され、布団を包んだ時に突起部分が、布を押さえ隙間を作り、風通しを良くし、シートと布団とがむせるのを防ぐ、屋根型状のパイプ棒は布団をバルコニーに掛けて干しているとき、バルコニーの手摺に載っている、布団の頂点とシートの、二つ折りをしている布団の頂点の真上の底辺に屋根型を寝かした形をして、布団を押さえて、隙間を作り風通しを良くし、布団とシートとが直接触れてむせるのを防ぐ役もしていて、すべり止めの役もしている。この様な役目をする箇所が、布団の前面の中央付近に当たるように、シートにも、設けられているシートの淵の必要箇所に必要な長さの全面テープの帯状の帯、オン、を有し、対のシートの淵の部分にメンのテープが設けられていて、それをオンメン、とを合着させて、シートを閉じて布団を完全に包むことによって埃、雨水から守ることができ、安心して外出する事ができる。これは組み立て式、数個に分解も可の、組み立ても簡単であるので便利である［肯景技術］【０００２】  蒲団をバルコニの手摺の上で干して、外出をしている時、突然の夕立で布団を濡らし、使用出来なくなったケースが幾たびもあり、苦い想いがある、このような苦い想いから開放ができる何か良い考え、工夫がないかと思案した結果出来た、のが本発明である、これは組み立て式、幾にも分解ができ、簡単に組み立てができる、材質は軽量で、布団に上から全面に透明なビニールシートで覆い、布団の頂点である、二つおりをした、折り返しの点真上に、屋根型のパイプの棒状の棒を寝かしてシートの、裏面の底辺の部分に穴で固定された、パイプを布団の面に当たるようにして、そこに布団とシートの間に隙間を作り、風通しを良くし、シートと、布団がむせるのを防ぎ、かつ布団をある程度押さえるので、すべりを防ぐし、シートのすべりも防げ、このような役目を果たす工夫をしたものが、布団を干している時の、前面の中央部分に、当たるように、シートにもうけられていて、同じ作用をする。シートの淵の中央部分に突起をした、耳があり、そこには全面マジックテープの、オスを施した、長い帯びたいと、シートの淵の部分に、メスを設けているオン・メンを合着することによって手摺を挟み雨水の濡れ、シートのすべりを防ぐ、シートの全面の淵の必要な箇所に全面テープのオンを付けた長い帯状と、対の淵に同じように部分にメンを設けたテープのある、これをオン・メンを合着させてシートを閉じる、ことによって布団を雨水、埃から完全に守ることができ、安心して外出することがで��る。今まで、このような便利で安心できて外出できるものがなかった。［発明が解決しょうとする課題］【０００３】  蒲団をバルコニの手摺の上で干して、外出をしている時、突然の夕立で布団を濡らし、使用出来なくなったケースが幾たびもあり、苦い想いがある、このような苦い想いから開放ができる何か良い考え、工夫がないかと思案した結果出来た、のが本発明である、これは組み立て式、幾にも分解ができ、簡単に組み立てができる、材質は軽量で、布団に上から全面に透明なビニールシートで覆い、布団の頂点である、二つおりをした、折り返しの点、真上に、屋根型のパイプの棒状の棒を寝がしてシートの、裏面の底辺の部分に穴で固定された、パイプを布団の面に当たるようにして、そこに布団とシートの間に隙間を作り、風通しを良くし、シートと、布団がむせるのを防ぎ、かつ布団をある程度押さえるので、すべりを防ぐし、シートのすべりも防げ、このような役目を果たす工夫をしたものが、布団を干している時の、前面の中央部分に、当たるように、シートにもうけられていて、同じ作用をする。シートの淵の中央部分に突起をした、耳があり、そこには全面マジックテープの、オスを施した、長い帯びたいと、シートの淵の部分に、メスを設けているオン・メンを合着することによって手摺を挟み雨水の濡れ、シートのすべりを防ぐ、シートの全面の淵の必要な箇所に全面テープのオンを付けた長い帯状と、対の淵に同じように部分にメンを設けたテープのある、これをオン・メンを合着させてシートを閉じる、ことによって布団を雨水、埃から完全に守ることができ、安心して外出することができる。今まで、このような便利で安心できて外出できるものがなかった。［課題を解決するための手段］【０００４】  蒲団をバルコニの手摺の上で干して、外出をしている時、突然の夕立で布団を濡らし、使用出来なくなったケースが幾たびもあり、苦い想いがある、このような苦い想いから開放ができる何か良い考え、工夫がないかと思案した結果出来た、のが本発明である、これは組み立て式、幾にも分解ができ、簡単に組み立てができる、材質は軽量で、布団に上から全面に透明なビニールシートで覆い、布団の頂点である、二つおりをした、折り返しの点、真上に、屋根型のパイプの棒状の棒を寝かしてシートの、裏面の底辺の部分に穴で固定された、パイプを布団の面に当たるようにして、そこに布団とシートの間に隙間を作り、風通しを良くし、シートと、布団がむせるのを防ぎ、かつ布団をある程度押さえるので、すべりを防ぐし、シートのすべりも防げ、このような役目を果たす工夫をしたものが、布団を干している時の、前面の中央部分に、当たるように、シートにもうけられていて、同じ作用をする。シートの淵の中央部分に突起をした、耳があり、そこには全面マジックテープの、オスを施した、長い帯びたいと、シートの淵の部分に、メスを設けているオン・メンを合着することによって手摺を挟み雨水の濡れ、シートのすべりを防ぐ、シートの全面の淵の必要な箇所に全面テープのオンを付けた長い帯状と、対の淵に同じように部分にメンを設けたテープのある、これをオン・メンを合着させてシートを閉じる、ことによって布団を雨水、埃から完全に守ることができ、安心し���外出することができる。今まで、このような便利で安心できて外出できるものがなかった。［発明の効果］【０００５】  シートを布団に完全に覆うことによって、夕立、強風埃、から布団を守り、それが直接、夕立などから受けることがなく、安心して外出することもできて、今までのように布団を、雨水、埃、強風、等から守る安心できる便利な、工夫した器具はなかった。このような不便を解決する何か良い考えがないかと、思案、工夫、したのが、本発明であり、これを、使用することによって安心して、外出もでき、安心して布団を干すことができるである。［発明を実施するための最良の形態］【０００６】  蒲団をバルコニの手摺の上で干して、外出をしている時、突然の夕立で布団を濡らし、使用出来なくなったケースが幾たびもあり、苦い想いがある、このような苦い想いから開放ができる何か良い考え、工夫がないかと思案した結果出来た、のが本発明である、これは組み立て式、幾にも分解ができ、簡単に組み立てができる、材質は軽量で、布団に上から全面に透明なビニールシートで覆い、布団の頂点である、二つおりをした、折り返しの点、真上に、屋根型のパイプの棒状の棒を寝かしてシートの、裏面の底辺の部分に穴で固定された、パイプを布団の面に当たるようにして、そこに布団とシートの間に隙間を作り、風通しを良くし、シートと、布団がむせるのを防ぎ、かつ布団をある程度押さえるので、すべりを防ぐし、シートのすべりも防げ、このような役目を果たす工夫をしたものが、布団を干している時の、前面の中央部分に、当たるように、シートにもうけられていて、同じ作用をする。シートの淵の中央部分に突起をした、耳があり、そこには全面マジックテープの、オスを施した、長い帯びたいと、シートの淵の部分に、メスを設けている，オン・メンを合着することによって手摺を挟み雨水の濡れ、シートのすべりを防ぐ、シートの全面の淵の必要な箇所に全面テープのオンを付けた長い帯状と、対の淵に同じように部分にメンを設けたテープのある、これをオン・メンを合着させてシートを閉じる、ことによって布団を雨水、埃から完全に守ることができ、安心して外出することができる。今まで、このような便利で安心できて外出できるものがなかった。
【図面の簡単な説明】
【０００７】
【図１】本発明品の斜視図
【図２】布団を夕立から守る安心器の全面平面図
【符号の説明】
【０００８】１    透明ビニール製、シート２    バルコニーの手摺り３    透  明ビニール製の、内側の表面に屋根型パイプ４    透明ビニール製の内側の表面に屋ビニール製のパイプの寝かして屋根型、にし、布団の頂点に接している。、５    バルコニーの手摺を挟んで、二つ折になって、垂れ下がっている布団６    ビニールのシートの端と端とを結ぶマジックテープ７    シートとテープを固定している８    シートの両端をテープのオン・メンとを合着している９    シートがバルコニーの手摺を覆うカバー１０  シートがバルコニーの手摺を覆うカバーの両端を合着させるテープ１１  ビニール製でパイプの先端を受け入れる穴の袋１２  ビニールでパイプの先端っを受け入れる穴の袋をシートに固定している。１３  塩ビニール製でパイプの先端でここの部分を穴に固定する
【図１】
2006314732.tif 000003
【図２】
2006314732.tif 000004